(57)【要約】【課題】  ナット締め付け用やカシメ用等の工具を使用しなくてもシリンダ錠を錠前取付部に容易に取り付けたり取り外したりすることができるように提供する。【解決手段】  頭部にフランジ部２を形成した外筒３と、この外筒３に回転自在に嵌挿した内筒４と、内筒４の後部に固定した掛け金５と、外筒３に嵌着し、相対向した複数箇所に外側へ若干開いたストッパ用のバネ片６を連設して成る留め具８とを備え、留め具８は、これの２個でもって外筒３を両面から挟み込んでから当該外筒３に設けた固定手段９に係止するよう環状半割型に形成した取付枠部７を備える。固定手段９は、取付枠部７の相対向する両端側面部に形成した左右一対の角孔部１３に係合するよう外筒３の左右対称位置に上下一対となって突設した三角形斜面状の突起１２によるものとする。【選択図】          図２
2005299161.tif 000002
【特許請求の範囲】
【請求項１】
頭部にフランジ部が形成されている外筒と、この外筒に回転自在に嵌挿した内筒と、内筒の後部に固定された掛け金と、外筒に嵌着され、相対向した複数箇所に外側へ若干開いたストッパ用のバネ片を連設して成る留め具とを備えたものであって、当該留め具は、これの２個でもって外筒を両面から挟み込んでから当該外筒に設けられた固定手段に係止されるよう環状半割型に形成された取付枠部を備えたことを特徴とするシリンダ錠の留め具。
【請求項２】
バネ片は、長さが２個毎に相対するように形成されている請求項１記載のシリンダ錠の留め具。
【請求項３】
固定手段は、取付枠部の相対向する両端側面部に形成された左右一対の角孔部に係合されるよう外筒の左右対称位置に上下一対となって突設させた三角形斜面状の突起によるものとした請求項１または２記載のシリンダ錠の留め具。
【請求項４】
外筒には、バネ片が後部へ移動しないよう取付枠部を嵌挿保持させる溝部を形成した請求項１乃至３のいずれか記載のリンダ錠の留め具。
【請求項５】
溝部には、錠前取付部の板厚以下の段部を有する請求項４記載のリンダ錠の留め具。
【発明の詳細な説明】
【技術分野】
【０００１】
本発明は、物品収納箱の扉等における錠前取付部の貫通孔に挿入させることでワンタッチで容易に取り付けられるようにしたシリンダ錠の留め具に関する。
【背景技術】
【０００２】
シリンダ錠を物品収納箱の扉等の錠前取付部に取り付ける場合には、従来から種々の方式が提案されている。例えば、図５に示すように、シリンダ錠１の胴体部１００周面にネジ溝１０１を形成しておき、錠前取付部に穿設された貫通孔Ｐに胴体部１００を挿入して、胴体部１００一端に形成されているフランジ部１０２で貫通孔Ｐ周縁に係止させ、貫通孔Ｐ反対側に突出された胴体部１００のネジ溝１０１にナット１０３をねじ込んで、フランジ部１０２、ナット１０３それぞれによって錠前取付部を挟み込むようにして固定する方式がある。また、ナット１０３を使用する替わりに小ネジを使用して錠前を裏側から固定したり、シリンダ錠１の胴体部１００に切欠形成されたスリット部にクリップを嵌装して固定したり、シリンダ錠１の胴体部１００に切り起こしバネを付設しておき、胴体部１００を錠前取付部の貫通孔Ｐに片側から挿入することでいったんは圧縮された切り起こしバネを貫通孔Ｐ反対側で拡開復帰させることによって係止固定させたりする方式もある。
【０００３】
上記したシリンダ錠１の取付方式のうち、シリンダ錠１の胴体部１００に切り起こしバネを付設する場合の具体的な構成としては、従来では特許文献１に開示されたものがある。すなわち、シリンダ錠１は、図６に示すように、頭部に接合用鍔２０１が形成されている外筒２００と、この外筒２００に回転自在に嵌挿した内筒２０２を備え、内筒２０２の後部には掛け金２０３がビスによって固定されていて、このうち外筒２００には、相対向した２箇所に弾発性の強いストッパ用のバネ片２０４を連設して成るリング２０５が嵌着されている。そして、シリンダ錠１の取り付けに際し、シリンダ錠１を外筒２００の後部側から錠前取付部の貫通孔Ｐに挿入して接合用鍔２０１が貫通孔Ｐ周縁に当接すると、バネ片２０４に形成された一対の係止用斜辺２０６が貫通孔Ｐの孔縁に当接し、その弾発力によってシリンダ錠１が固定されるものとしている。
【特許文献１】実公平６−８２０９号公報
【発明の開示】
【発明が解決しようとする課題】
【０００４】
しかしながら、前記図５に示す従来の留め具は、ナット１０３操作用の工具による手間のかかる作業を要するものであった。また、特許文献１に開示された場合でも、相対向した２箇所に弾発性の強いストッパ用のバネ片２０４を連設して成るリング２０５を外筒２００に嵌着するための機械的な工具を使用したカシメ作業が必要となる。さらに、バネ片２０４には２個に先割れした突起片状の係止用斜辺２０６が形成され、反対方向も含め４箇所で、シリンダ錠１を支える構造となっているが、先割れしている先端の距離が大きく採れないため、錠前取付部の板厚にわずかな差が出ても突っ張り力が不十分となってバネ片２０４による支え状態がぐらついてしまう虞れがある等の問題点を有していた。
【０００５】
そこで、本発明は、叙上のような従来の問題点を解消するためになされたもので、錠前取付部の板厚にわずかな差が出ても突っ張り力を十分に確保させておくことができると共に、錠前取付部に対しシリンダ錠を安定して支持固定しておくことができ、しかもナット締め付け用やカシメ用等の工具を使用しなくてもシリンダ錠を錠前取付部に容易に取り付けたり取り外したりすることができるシリンダ錠の留め具を提供することを目的とする。
【課題を解決するための手段】
【０００６】
上述した課題を解決するため、本発明にあっては、頭部にフランジ部が形成されている外筒と、この外筒に回転自在に嵌挿した内筒と、内筒の後部に固定された掛け金と、外筒に嵌着され、相対向した複数箇所に外側へ若干開いたストッパ用のバネ片を連設して成る留め具とを備えたものであって、当該留め具は、これの２個でもって外筒を両面から挟み込んでから当該外筒に設けられた固定手段に係止されるよう環状半割型に形成された取付枠部を備えたものである。
【０００７】
そして、前記バネ片は、高さが２個毎に相対するように形成されているものとすることができる。また、前記固定手段は、取付枠部の相対向する両端側面部に形成された左右一対の角孔部に係合されるよう外筒の左右対称位置に上下一対となって突設させた三角形斜面状の突起によるものとすることができる。
【０００８】
さらに、前記外筒には、バネ片が後部へ移動しないよう取付枠部を嵌挿保持させる溝部を形成すると共に、当該溝部には、錠前取付部の板厚以下の段部を有するものとすることができる。
【０００９】
以上のように構成された本発明に係るシリンダ錠の留め具にあって、環状半割型に形成された取付枠部を備えた留め具は、これの２個で外筒を両面から挟み込んでから当該外筒に設けられた固定手段によって係止されることで、ナット締め付け用やカシメ用等の工具を使用せずに留め具をシリンダ錠に固定可能にさせる。
【００１０】
また、外筒周面に対向配置させた取付枠部の相対向した複数箇所における外側へ若干開いたストッパ用のバネ片は、シリンダ錠を外筒の後部側から錠前取付部の貫通孔に挿入してフランジ部が貫通孔周縁に当接されるに際し、圧縮されながら貫通孔の反対側に突き出された当該バネ片の先端が弾性によって開いて貫通孔の孔縁側面に係止され、その弾発力によってシリンダ錠を貫通孔にしっかりと固定させる。
【発明の効果】
【００１１】
本発明によれば、錠前取付部の板厚にわずかな差が出ても突っ張り力を十分に確保させておくことができ、錠前取付部に対しシリンダ錠を安定して支持固定しておくことができ、しかもナット締め付け用やカシメ用等の工具を使用しなくてもシリンダ錠を錠前取付部に容易に取り付けたり取り外したりすることができる。特に、隣接する同志で互いに長さが異なる複数のバネ片によって十字方向で突っ張るため、板厚にわずかの差が生じても、少なくとも上下左右方向におけるどちらか一方の長さのバネ片で突っ張ることができてシリンダ錠自体が安定して固定されるものとなる。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下、図面を参照して本発明を実施するための最良の一形態を説明すると、図において示される符号１は、例えば物品収納箱の扉等の錠前として使用されるシリンダ錠であり、このシリンダ錠１は、図１および図２に示すように、頭部にフランジ部２が形成されている外筒３と、この外筒３に回転自在に嵌挿され、頭部にキー溝４Ａを有する内筒４と、内筒４の後部に固定された掛け金５とを備えている。また、シリンダ錠１の外筒３は、錠前取付部に穿設された若干縦長で略八角形状の貫通孔Ｐ（図３に示す）に対応して縦長八角形状に形成してある。
【００１４】
また、外筒３に嵌着され、相対向した複数箇所に外側へ若干開いたストッパ用のバネ片６を連設して成る留め具８を備え、これによって扉等の錠前取付部の貫通孔Ｐに挿入されたシリンダ錠１を抜脱阻止された状態となってしっかりと固定するものとしてある。すなわち、留め具８は、図１、図２に示すように、これの２個でもって外筒３を両面から挟み込んでから当該外筒３に設けられた後述する固定手段９によって係止されるようそれぞれに環状半割型に形成された取付枠部７を備えている。
【００１５】
さらに具体的に説明すると、取付枠部７は、図４に示すように、縦長八角形状に形成されている外筒３の上下半分の形状に合わせて例えば水平な中央面部７Ａと、中央面部７Ａの左右両側から延設した左右傾斜面部７Ｂと、左右傾斜面部７Ｂの左右両側から延設した左右側面部７Ｃとから形成され、この２つの取付枠部７の左右側面部７Ｃ同士を互いに合致させることによって全体が縦長八角形の環状となるようにしてある。
【００１６】
そして、前記バネ片６は、中央面部７Ａから２つが外側へ若干開いた状態に隣接して突出形成され、且つ左右側面部７Ｃそれぞれから１つが外側へ若干開いた状態に突出形成されている。このバネ片６開き角度としては、中央面部７Ａ、左右側面部７Ｃそれぞれの面に対して例えば約５°の角度だけ外側へ向けて傾斜させたものとしてある。また、これらバネ片６の高さが２個毎に相対するように形成されている。例えば、中央面部７Ａにて互いに隣接するバネ片６の一方の長さをＬ（例えば９．８ｍｍ）とし、他方の長さをＬよりも若干小さいｌ（例えば９．５ｍｍ）としてある。さらに、左右側面部７Ｃの一方のバネ片６の長さを前記と同様のＬとし、他方の長さを前記と同様のＬよりも若干小さいｌとしてある。このように８枚のバネ片６の長さを４枚ずつ２種類に分けて形成したので錠前取付部の板厚にわずかな差が出ても少なくとも４枚は突っ張ることができ、シリンダ錠１を安定して支持固定することができる。
【００１７】
図１、図３に示すように、外筒３には、取り付けられた留め具８のバネ片６が後部へ移動しないように取付枠部７を嵌挿保持させておくための溝部１０を形成してある。すなわち、取付枠部７の中央面部７Ａ、左右傾斜面部７Ｂ、左右側面部７Ｃ、およびバネ片６それぞれが嵌挿されるように外筒３の周面全体に溝部１０が形成され、このうちバネ片６の先端だけが溝部１０から外側へ若干開いた状態にしてある。また、溝部１０には、錠前取付部の板厚よりも小さい段部１１を有している。すなわち、フランジ部２の背面側に連設されている外筒３における溝部１０を形成する段部１１の幅員および深さは、錠前取付部の板厚よりも小さく形成してある（図３（ｃ）参照）。
【００１８】
固定手段９は、取付枠部７の左右側面部７Ｃが当接配置される外筒３の溝部１０における左右対称位置に上下一対となって突設された三角形斜面状の突起１２によって構成され、取付枠部７の相対向する両端の左右側面部７Ｃの略中央にそれぞれ形成された角孔部１３に突起１２が係合保持されるようにしてある。
【００１９】
次に、シリンダ錠１の錠前取付部への取り付け手順について説明する。先ず、２つの留め具８でシリンダ錠１の外筒３における溝部１０を両面から挟み込むように取付枠部７同士を互いに合致させてから溝部１０に設けられた固定手段９によって取付枠部７を係止固定させておく。この留め具８が装着された状態のシリンダ錠１を外筒３の後部側から錠前取付部の貫通孔Ｐに挿入してフランジ部２が貫通孔Ｐ周縁に当接すると同時に、圧縮されながら貫通孔Ｐの反対側に突き出された当該バネ片６の先端が弾性復元力によって開いて貫通孔Ｐの孔縁側面に係止され、その弾発力によってシリンダ錠１を貫通孔Ｐにしっかりと固定される。
【００２０】
尚、シリンダ錠１は、錠前取付部に穿設された若干縦長で略八角形状の貫通孔Ｐに対応して全体を縦長八角形状に形成してあるが、このようなシリンダ錠１の形状は、本発明を何等限定するものではなく、錠前取付部に形成された円筒状の貫通孔Ｐに対応して全体を円筒状に形成されていても良く、このときには留め具８の後述する取付枠部の形状は略半円枠状に形成されるものとなる。
【図面の簡単な説明】
【００２１】
【図１】本発明を実施するための最良の形態を示す分解斜視図である。
【図２】同じくシリンダ錠に留め具を組み付けた状態を示す斜視図である。
【図３】（ａ）はシリンダ錠に留め具を組み付けた状態の側面図、（ｂ）は錠前取付部の貫通孔Ｐを示す正面図、（ｃ）は錠前取付部の貫通孔に留め具を介してシリンダ錠を固定した状態を示す一部切欠断面図である。
【図４】留め具の一形態を示すもので、（ａ）は平面図、（ｂ）は正面図、（ｃ）は左側面図、（ｄ）は右側面図、（ｅ）は底面図である。
【図５】従来例を示す一部切欠断面図である。
【図６】他の従来例を示す一部切欠断面図である。
【符号の説明】
【００２２】
Ｐ    貫通孔
１    シリンダ錠
２    フランジ部
３    外筒
４    内筒
５    掛け金
６    バネ片
７    取付枠部
８    留め具
９    固定手段
１０  溝部
１１  段部
１２  突起
１３  角孔部
【図１】
2005299161.tif 000003
【図２】
2005299161.tif 000004
【図３】
2005299161.tif 000005
【図４】
2005299161.tif 000006
【図５】
2005299161.tif 000007
【図６】
2005299161.tif 000008